(57)【要約】  【課題】例えば、付箋を構成する背着剤付紙片における、接着層に対応する領域が使用時に湾曲することなく所定の接着力を維持することが可能な付箋を提供するものである。  【解決手段】周縁部（３０）を備えてなる一方の面（３）に、接着剤の施された接着部（４）と、生地が露出する非接着部（５）とを備えてなる接着剤付紙片（２）であって、接着部（４）が、設定された形状に接着剤が施されて相互に離間して配置される複数の単位接着領域（９）からなり、非接着部（５）が、単位接着領域（９）間に網状に形成されるとともに、前記周縁部（３０）の少なくとも一部に沿って形成される。【選択図】図２
2008143166.tif 000002
【特許請求の範囲】
【請求項１】
周縁部を備えてなる一方の面に、接着剤の施された接着部と、生地が露出する非接着部とを備えてなる接着剤付紙片であって、
接着部が、設定された形状に接着剤が施されて相互に離間して配置される複数の単位接着領域からなり、
非接着部が、単位接着領域間に網状に形成されるとともに、前記周縁部の少なくとも一部に沿って形成される接着剤付紙片。
【請求項２】
前記単位接着領域が、円形又は楕円である請求項１記載の接着剤付紙片。
【請求項３】
前記単位接着領域が、多角形である請求項１記載の接着剤付紙片。
【請求項４】
前記非接着部が、前記単位接着領域間に網状に形成される第一非接着領域と、前記周縁部の少なくとも一部に沿って形成され且つめくりしろ部として機能する第二非接着領域とを備えたものであり、
前記複数の単位接着領域のうち、前記第二非接着領域との境界部位に配置される単位接着領域が、少なくとも前記周縁部から離間した部位に配置される単位接着領域と同一形状である請求項１、２又は３記載の接着剤付紙片。
【請求項５】
前記非接着部が、前記単位接着領域間に網状に形成される第一非接着領域と、前記周縁部の少なくとも一部に沿って形成され且つめくりしろ部として機能する第二非接着領域とを備えたものであり、
前記複数の単位接着領域のうち、前記第二非接着領域との境界部位に配置される単位接着領域からなる境界部位単位接着領域群が、めくり方向と略直交する直線状に切断されていない請求項１、２又は３記載の接着剤付紙片。
【請求項６】
周縁部を備えてなる一方の面に、接着剤の施された接着部と、生地が露出する非接着部とを備えてなる接着剤付紙片であって、
非接着部が、前記周縁部の少なくとも一部に沿って形成されるとともに、設定された形状に生地が露出して相互に離間して配置される複数の単位非接着領域からなり、
接着部が、単位非接着領域間に網状に形成される接着剤付紙片。
【請求項７】
前記単位非接着領域が、円形又は楕円である請求項６記載の接着剤付紙片。
【請求項８】
前記単位非接着領域が、多角形である請求項６記載の接着剤付紙片。
【請求項９】
前記多角形が、正五角形である請求項３又は８記載の接着剤付紙片。
【請求項１０】
前記多角形が、正六角形である請求項３又は８記載の接着剤付紙片。
【請求項１１】
前記多角形が、Y字形の多角形である請求項３又は８記載の接着剤付紙片。
【発明の詳細な説明】
【技術分野】
【０００１】
本発明は、書籍の特定のページの目印として、あるいは備忘録として用いられるなどする接着剤付紙片に関するものである。
【背景技術】
【０００２】
従来、裏面に接着層を設けた紙片を複数枚重ね合わせて積層体とした付箋が知られている。このような付箋においては、それぞれの紙片を一枚ずつ剥がせるように、つまり接着層の紙片表面からの剥離性を向上させるために、その表面は剥離剤を塗布するなどして表面処理が施してあるものが一般的である。しかしながら、このような加工が施してあるにもかかわらず、剥がした紙片が接着層の部分において、大きく湾曲することがある。この紙片の湾曲現象は、紙片を剥がす際に紙片に加わった力により紙片が湾曲し、その湾曲状態が接着層により保持されることに起因する。
【０００３】
このような不具合を解消するために、例えば特許文献１に記載のものでは、接着層を紙片の横方向において分割し、接着層と紙片表面の露出部とを交互に配置した構成としている。このものでは、例えば書籍のページに貼り付けた場合つまり使用時に、容易には剥がれないようにするために、接着層は縦方向に長くするものである。
【特許文献１】実公平３−２７８１６号公報
【発明の開示】
【発明が解決しようとする課題】
【０００４】
ところが、このような構成のものであると、接着層は横方向に不連続にしか存在しないため、使用時においては従来のものと比較して横方向における接着力が低下することがある。したがって、使用している最中に、付箋が貼り付けた部位から剥がれてしまう可能性が高くなった。
【０００５】
また、接着層は横方向に連続していないものの、剥がす方向に接着層が延びているために、同様に湾曲する場合がある。つまり、接着層の面積が減少して接着力も低下するものの、剥がす方向の接着力は接着層が延びている方向においてほぼ同じなために、接着層が設けられた紙片の端部領域においてそれぞれの接着層が紙片の湾曲を保持するように作用する。したがって、このような湾曲と接着力の低下とにより、使用時の不具合はさほど改善されるものではなかった。
【０００６】
そこで本発明は、このような不具合に鑑みて、接着層に対応する領域が使用時に湾曲することなく所定の接着力を維持することが可能な接着剤付紙片を提供することを目的としている。
【課題を解決するための手段】
【０００７】
すなわち、本発明の接着剤付紙片は、周縁部を備えてなる一方の面に、接着剤の施された接着部と、生地が露出する非接着部とを備えてなる接着剤付紙片であって、接着部が、設定された形状に接着剤が施されて相互に離間して配置される複数の単位接着領域からなり、非接着部が、単位接着領域間に網状に形成されるとともに、前記周縁部の少なくとも一部に沿って形成されることを特徴とする。
【０００８】
このような構成であれば、例えば、複数を剥離可能に積層しておき、その内の一枚を非接着部側から持ち上げて積層されている複数の紙片から引き離す場合に、接着部が網状の非接着部に、接着部を構成する単位接着領域それぞれが囲まれているので、紙片に生じる応力を接着剤で保持しようとする部分（単位接着領域）と保持できない部分（非接着部）とが隣接することになる。つまり、接着剤に生じる応力は、引き離し方向において連続せずに分断される。この結果、接着部が紙片の湾曲を保持するに至らず、引き離された紙片は湾曲せずにほぼ平坦な形体を維持するものである。それゆえ、引き離した紙片の使用状態において、周縁部の少なくとも一部に形成された非接着部の側から浮き上がることを抑制することが可能である。
【０００９】
接着部における単位接着領域の合計面積と非接着領域の面積との比率を容易に調整するためには、単位接着領域が、円形、楕円形あるいは多角形であるものが好ましい。
【００１０】
さらに、接着部と、周縁部の一部に沿って形成され且つめくりしろ部として機能する非接着部との境界部位が直線状となることを回避して、前述の引き離し作業に伴って当該境界部位に直線状の折り癖（反り癖）が付くことや湾曲することを回避するためには、前記非接着部が、前記単位接着領域間に網状に形成される第一非接着領域と、前記周縁部の少なくとも一部に沿って形成され且つめくりしろ部として機能する第二非接着領域とを備えたものであり、前記複数の単位接着領域のうち、前記第二非接着領域との境界部位に配置される単位接着領域が、少なくとも前記周縁部から離間した部位に配置される単位接着領域と同一形状のものとすればよい。このようなものであれば、積層状態に接着剤付紙片のうち最外部（例えば最上部）に配されている接着剤付紙片を他の接着剤付紙片から引き離して書籍の特定のページ等に貼り付けて使用する際に、折り癖に起因する浮き上がり（紙片の反りや湾曲）の発生を防止することができ、剥がれ難く、実用性に優れたものとなる。
【００１１】
なお、「前記第二非接着領域との境界部位に配置される単位接着領域が、少なくとも前記周縁部から離間した部位に配置される単位接着領域と同一形状のもの」との限定は、前記境界部位とは異なる部位であって且つ周縁部に接する部位に配置される単位接着領域が当該周縁部に沿って一部を欠如したものである（例えば本来は円形のものが半円状になっている）場合もあり、このような一部欠損した単位接着領域とは同一形状ではないことを明らかにするためのものである。また、周縁部の少なくとも一部（例えば周縁部が四辺からなる場合、四辺のうち何れか一辺）に沿って形成され且つめくりしろ部として機能する第二非接着領域との境界部位に配置される単位接着領域のうち、周縁部（例えば前記一辺に交わる他の辺）に接する部位に配置される単位接着領域が当該周縁部に沿って一部を切られたものであっても構わない。
【００１２】
また、当該効果と略同様の効果を奏する態様としては、前記非接着部が、前記単位接着領域間に網状に形成される第一非接着領域と、前記周縁部の少なくとも一部に沿って形成され且つめくりしろ部として機能する第二非接着領域とを備えたものであり、前記複数の単位接着領域のうち、前記第二非接着領域との境界部位に配置される単位接着領域からなる境界部位単位接着領域群が、めくり方向と略直交する直線状に切断されていない態様が挙げられる。
【００１３】
ここで、「めくり方向」とは、積層した複数の接着剤付紙片のうち、最外部の接着剤付紙片を他の接着剤付紙片から剥がす際にめくる方向である。第二非接着領域に臨む単位接着領域の集合体である境界部位単位接着領域群が、たとえ切断されたものであっても、その切断線が、曲線状や波形状或いはＶ字状であれば、接着部と、めくりしろ部として機能する第二非接着領域との境界部位が直線状となることを回避でき、前述の引き離し作業（めくり作業）に伴って当該境界部位に直線状の折り癖（反り癖）が付き難く、紙片の湾曲を抑制することができ、所定のページに対する良好な貼付状態を維持することができる。
【００１４】
またこの発明の接着剤付紙片は、周縁部を備えてなる一方の面に、接着剤の施された接着部と、生地が露出する非接着部とを備えてなる接着剤付紙片であって、非接着部が、前記周縁部の少なくとも一部に沿って形成されるとともに、設定された形状に生地が露出して相互に離間して配置される複数の単位非接着領域からなり、接着部が、単位非接着領域間に網状に形成されることを特徴とする。
【００１５】
このような構成においては、単位非接着領域が、円形、多角形であるものが好ましい。
【００１６】
上述の単位接着領域及び単位非接着領域の多角形としては、正五角形、正六角形、あるいはＹ字形のものが好ましい。
【００１７】
なお、本発明における接着剤としては、剥離可能に接着剤付紙片を貼ることを可能にする粘着剤を含むものである。
【発明の効果】
【００１８】
本発明は、以上説明したような構成であり、例えば、積層しているものから一枚を引き離す場合に離した一枚が湾曲することを防止することができる。したがって、張り付けて使用する際に浮き上がりが発生せず、剥がれることを抑制することができる。
【発明を実施するための最良の形態】
【００１９】
以下、本発明の実施例１〜３を、図面を参照して説明する。
【実施例１】
【００２０】
この実施例１の付箋１は、図１に示すように、ほぼ正方形をしている接着剤付紙片（以下、紙片と略称する）２を複数枚積層させて形成してある。紙片２を積層したものを付箋１としているが、使用するに際してはそれぞれの紙片２自体が付箋である。そしてそれぞれの紙片２は、その一方の面である裏面３に接着部４と非接着部５とが設けてあるとともに、他方の面である表面６は、積層された紙片２をはがしやすくするために、コーティングが施してある。コーティング処理自体は、この分野でよく知られているものを適用するものであってよい。また、紙片の形状は、正方形に限定されるものでないことは、言うまでもない。
【００２１】
接着部４は、裏面３の周縁部３０における一辺（以下、この一辺を「第一端部７」と称す）側に設けられている。この実施例１においては、接着部４は、図２に示すように、接着剤が施される円形に形状が設定された単位接着領域９の複数を備えてなる。本実施形態では、円形状の各単位接着領域９の直径を４．５ｍｍに設定している。各単位接着領域９は、接着部４において、紙片２の横方向と縦方向とに所定間隔で相互に離間して配置されている。この結果、それらの単位接着領域９の間に、網状の第一非接着領域８が形成されるものである。
【００２２】
一方、非接着部５は、上述の第一非接着領域８と、裏面３の周縁部３０のうち第一端部７に対向する第二端部１０側に設けられ且つめくりしろ部として機能する第二非接着領域８ａとを備えている。網状に連続する第一非接着領域８は第二非接着領域８ａと連絡している。非接着部５は、接着部４に比較してその面積が小さい。周縁部３０に形成される非接着部５（具体的には第二非接着領域８ａ）は、可能な限り狭い幅のものが好ましく、積層された紙片２の内の一枚を容易に選択し得る幅を有するように設定するものである。これは、接着部４が裏面３の大半の面積を占めて、使用時にほぼ裏面３全体が紙片２を貼り付ける書籍のページ、書類、あるいはファイルの表紙などに張り付いて、紙片２が部分的に浮き上がることがないようにするためである。具体的には例えば、周縁部３０に形成される非接着部５（第二非接着領域８ａ）は、第二端部１０側から第一端部７側に、単位接着領域９の１．５行〜２行に相当する面積を、紙片２の生地が露出するようにして形成するものである。
【００２３】
このような構成において、紙片２の裏面３には、接着部４における第一非接着領域８の面積に対する複数の単位接着領域９の合計面積を例えば、１〜２倍に設定して、接着部４と非接着部５とを形成する。単位接着領域９の合計面積と第一非接着領域８の面積との比率は、設定された所定面積の接着部４の中で、単位接着領域９の大きさを調整する、その密度（個数）を変更する、もしくはその両方を同時に調整することにより調整する。この面積比率の調整は、使用時における接着力に影響するので、紙片２の表面６からは剥がしやすく、かつコーティングされていない紙などの表面からは剥がれにくい接着力となるように調整するものである。なお、各単位接着領域９の直径は、４．５ｍｍ±１．５ｍｍの範囲内に設定することが好ましい。
【００２４】
そして、このような構成の紙片２の複数を、接着部４を同一方向、例えば下側に向けた状態で積層して付箋１を形成するものである。すなわち、紙片２は、下になる紙片２のコーティングが施された表面６に、それぞれの第一端部７を整列させた状態で接着部４を重ね合わせて積層する。したがって、それぞれの紙片２は、接着部４と表面６とが相互に接して積層されるので、接着部４の紙などのコーティング処理が施されていない無コーティング表面における接着力より小さい外力により個別に剥がすことができる。
【００２５】
使用するにあたって、紙片２が非接着部５（具体的にはめくりしろ部として機能する第二非接着領域８ａ）に指をかけて剥がされる場合に、紙片２に剥がすための外力が加わると、その外力に応じて紙片２には応力が発生する。しかしながら、接着部４を形成する単位接着領域９それぞれが、網状に接着剤が塗布されていない第一非接着領域８つまり非接着部５に囲まれているので、紙片２を剥がす方向に応力が連続せず、よって紙片２が湾曲（カール）しにくくなる。しかも、接着剤に関しても第一非接着領域８により単位接着領域９同士が分断されているため、接着剤が湾曲した紙片２を補強するように作用することがない。したがって、紙片２の裏面３の大部分を占める接着部４に接着剤が施されているにもかかわらず、接着剤の接着力により紙片２が湾曲することがない。それ故に、使用時には、紙片２を紙や表紙などから浮き上がることなく貼り付けることができ、剥がれることを防止することができる。
【００２６】
なお、単位接着領域９は、上述のような円形に限定されるものではない。単位接着領域９は、例えば、楕円形や、図３に示すような、多角形である正六角形のもの（変形例１）や、図４に示すような、正五角形のもの（変形例２）、さらには、図５に示すような、Ｙ字形のもの（変形例３）であってもよい。単位接着領域９が正五角形のものでは、図４に示す、紙片２の横方向において隣接する単位接着領域９を３６度回転させて配置する変形例２以外にも、全ての単位接着領域９を同一方向に向けて配置する構成とするものであってよい。
【００２７】
変形例３の単位接着領域９がＹ字形のものにおいては、単位接着領域９の全てを同一方向に向けて配置する構成の変形例３と、第一端部７に平行な直線上に第二端部１０に向けて配置する一群、及び第一端部７に平行な直線上に第一端部７に向けて配置する一群とを第二端部１０方向に交互に配置する構成の変形例３−１（図６に示す）とが挙げられる。これらＹ字形の単位接着領域９は、具体的には、図７に示すように、正三角形の中心部１１のそれぞれの辺にほぼ正方形の腕部１２を連結し、かつ腕部１２の先端に台形の先端部１３を連結した形状に形成するものである。
【００２８】
以上説明したそれぞれの変形例１〜３にあっても、実施例１において説明したように、各単位接着領域９の大きさ、密度を変更することにより、接着部４の接着力を調整するものである。
【実施例２】
【００２９】
この実施例２の付箋１は、上述の実施例１における接着部４を構成する単位接着領域９と網状の第一非接着領域８とを、その形状はそのままに機能を入れ替えた構成である。なお、この実施例２において使用する紙片２の接着部４の構成以外は、上述の実施例１と同様であり、同様の符号を付してその詳細な説明は割愛する。
【００３０】
具体的には、図８に示すように、付箋１を構成する紙片２の裏面３には、網状をなして接着剤が施される接着領域２１と、接着領域２１による網目内に設けられて生地が露出する複数の単位非接着領域２２とが形成してある。つまり、実施例１における単位接着領域９に対応する領域が単位非接着領域２２となり、第一非接着領域８に対応する領域が接着領域２１となるものである。また、この接着部４に隣接して、周縁部３０を構成する第二端部１０側にめくりしろ部として機能する帯状の非接着部５（第二非接着領域８ａ）が形成してある。
【００３１】
この実施例２の場合も、接着領域２１の面積と単位非接着領域２２の合計面積との比率を調整することにより、接着部４の接着力を調整するものである。この実施例２においては、単位非接着領域２２の大きさあるいは密度さらにはその両方を変えることにより網状の接着領域２１の面積を増減するものである。
【００３２】
このような構成にあっても、実施例１と同じ効果を奏するものである。
【００３３】
なお、実施例２においても、実施例１と同じに変形例を構築することができる。
【実施例３】
【００３４】
この実施例３にあっては、図９に示すように、上述した実施例１の変形例１における単位接着領域９内に、紙片２の生地の露出する域内非接着領域２３を形成したものである。具体的には、実施例１の変形例１では、単位接着領域９と相似である、単位接着領域９の六角形より小さい六角形の域内非接着領域２３を、中心を同じくして単位接着領域９内に形成するものである。言い換えれば、この実施例３にあっては、環状の単位接着領域９を所定間隔にて配置する構成である。域内非接着領域２３の大きさは、単位接着領域９の接着力を低減するものであるため、例えば単位接着領域９の１／４程度が好ましい。
【００３５】
このような構成によれば、実施例１の変形例１よりさらに単位接着領域９が分散することになる。この結果、紙片２を剥がす場合に生じる応力はさらに細かく分断され、紙片２が湾曲しないものとなる。したがって、この実施例３についても、実施例１と同じ効果を奏するものである。
【００３６】
なお、この実施例３の構成は、上述した実施例１及びそれぞれの変形例２、３に対して適用することができる。
【実施例４】
【００３７】
この実施例４にあっては、図１０に示すように、上述した実施例１及び実施例３と比較して、周縁部３０の少なくとも一部に沿って形成され且つめくりしろ部として機能する非接着部５の第二非接着領域８ａと接着部４との境界部位が直線状になることを回避すべく、めくりしろ部として機能する第二非接着領域８ａとの境界部位に配置される単位接着領域９が、周縁部３０から離間した部位に配置される単位接着領域９と同一形状である点で異なる。
【００３８】
つまり、各単位接着領域９が円形である場合、非接着部５のうちめくりしろ部として機能する第二非接着領域８ａとの境界部位に配置される単位接着領域９も完全な円形としている。なお、第二非接着領域８ａとの境界部位に配置される単位接着領域９のうち、周縁部３０のうち第二端部１０以外の部分に接する部位に配置される単位接着領域９が周縁部３０に沿って一部を切られたものであっても構わない。すなわち、複数の単位接着領域９からなる接着部４と、めくりしろ部として機能する第二非接着領域８ａとの境界部位が直線状となることを回避しさえすればよい。
【００３９】
このようなものであるため、図２に示す態様と比較して、めくりしろ部として機能する第二非接着領域８ａと接着部４との境界部位が直線状にならず、その結果、積層状態にある紙片２を他の紙片２から引き離す作業時に、当該境界部位に直線状の折り癖（反り癖）が付き難くなり、当該引き離した紙片２を書籍の特定のページ等に貼り付けて使用する際に、折り癖に起因する浮き上がりの発生を防止することができ、不意に落下することなく、実用性に優れたものとなる。もちろん、実施例１及び実施例３と同様に、「接着部４を相互に分散させた複数の単位接着領域９から形成している」という構成を採用しているため、紙片２を剥がす場合に生じる応力は細かく分断され、紙片２が湾曲せず、この実施例４についても、実施例１等と同じ効果を奏するものとなる。
【００４０】
なお、この実施例４の構成は、上述した実施例１の変形例１〜３及び実施例３に対しても適用することができる。
【００４１】
例えば、単位接着領域９が、図６及び図１１に示すように多角形（図６ではＹ字形、図１１では正六角形）である場合、前記めくりしろ部として機能する第二非接着領域８ａとの境界部位に配置する各単位接着領域９を、これら各単位接着領域９の角、すなわち辺ではない部分が、めくりしろ部として機能する第二非接着領域８ａを形成した周縁部（図示例では第二端部１０）に向かうように配置することにより、境界部位が直線状になることを回避し、上述した効果を奏するものとなる。
【００４２】
実施例４においても、各単位接着領域９の大きさを調整する、その密度（個数）を変更する、もしくはその両方を同時に調整することにより紙片２の接着力を調整することが可能である。
【００４３】
特に、図１２に示すように、めくりしろ部として機能する非接着部５の第二非接着領域８ａとの境界部位に配置される単位接着領域９の密度を、他の部位に配置される単位接着領域９の密度よりも低くする態様としてもよい。このような態様であれば、第二非接着領域８ａとの境界部位が直線状になることをより確実に回避することが可能となり、前述した効果をより実効あるものとすることができる。
【実施例５】
【００４４】
この実施例５にあっては、図１３及び図１４に示すように、複数の単位接着領域９のうち、めくりしろ部として機能する非接着部５の第二非接着領域８ａとの境界部位に配置される単位接着領域９からなる境界部位単位接着領域群が、めくり方向（図１３及び図１４に示す矢印Ａ方向）と略直交する直線状に切断されていない点に特徴がある。図１３は、境界部位単位接着領域群が曲線状（部分円弧状）の仮想切断線Ｌによって区切られている態様であり、図１４は、境界部位単位接着領域群が波形状の仮想切断線Ｌによって区切られている態様である。ここで、「境界部位単位接着領域群」とは、複数の単位接着領域９のうち第二非接着領域８ａに臨む単位接着領域９の集合、換言すれば仮想切断線Ｌに臨む（沿う）単位接着領域９の集合である。
【００４５】
このようなものであっても実施例４に示す態様と略同様の効果、すなわち、接着部４と第二非接着領域８ａとの境界部位が直線状になることを回避し、最外部（最上部）に位置する紙片２を他の紙片２から引き離すためにめくる際に、当該境界部位にめくり方向と略直交する直線状の折り癖（反り癖）が付き難くなり、当該めくった紙片２を書籍の特定のページ等に貼り付けて使用する際に、折り癖に起因する浮き上がりの発生を防止することができ、不意に落下することなく、実用性に優れたものとなる。
【００４６】
なお、この実施例５の構成は、上述した実施例１の変形例１〜３及び実施例３に対しても適用することができる。
【００４７】
また、実施例５においては、境界部位単位接着領域群が、めくり方向と略直交する直線状に切断されていなければよく、境界部位単位接着領域群が、曲線状や波形状の他、Ｖ字形状やギザギザ状の仮想切断線によって区切られたものであっても構わない。
【００４８】
なお、実施例５においても、各単位接着領域９の大きさを調整する、その密度（個数）を変更する、もしくはその両方を同時に調整することにより紙片２の接着力を調整することが可能である。
【００４９】
さらに、上記それぞれの実施例において、例えば図１５に示すように、周縁部３０のうち、めくりしろ部として機能する非接着部５（具体的には第二非接着領域８ａ）を形成した部位とは異なる部位に、接着剤を全面的に塗布した帯状の接着領域９ａを形成しても構わない。帯状の接着領域９ａは、第二非接着領域８ａを形成した部位（図示例では第二端部１０）と対向する部位（図示例では第一端部７）に形成することが好ましい。なお帯状の接着領域９ａの面積は、使い勝手や用途等に応じて適宜変更しても勿論構わない。
【００５０】
上記それぞれの実施例においては、周縁部３０における非接着部５（第二非接着領域８ａ）を、第二端部１０側に形成したものを説明したが、図１６に示すように、単位接着領域９を配置した領域、すなわち接着部４を囲むように、紙片２の全ての辺に沿って形成するものであってもよい。すなわち、周縁部３０に形成する非接着部５（第二非接着領域８ａ）は、それぞれの実施例に示したように、周縁部３０の少なくとも一部に形成すれば十分であるが、このような構成を採用することにより、様々な方向から剥がすことを可能にするものである。したがって、使用者は、紙片２をつまみ上げる箇所を規制されることなく、紙片２のどの周縁部３０をつまみ上げても紙片２を剥がすことができるので、紙片２を剥がす際の利便性を向上させることができる。なお、図１６には、紙片２の四辺に沿って帯状に非接着部５（第二非接着領域８ａ）を形成したものを図示したが、三辺あるいは二辺に沿うものであってもよい。
【００５１】
また、本発明の紙片２は、上述したような付箋１の他に、台紙などから剥がして使用する、例えば、ラベルやインデックス用紙などに適用するものであってよい。
【００５２】
その他、各部の具体的構成についても上記実施形態に限られるものではなく、本発明の趣旨を逸脱しない範囲で種々変形が可能である。
【図面の簡単な説明】
【００５３】
【図１】本発明の実施例１の斜視図。
【図２】同実施例１の紙片の裏面を示す平面図。
【図３】同実施例１の変形例１における紙片の裏面を示す平面図。
【図４】同実施例１の変形例２における紙片の裏面を示す平面図。
【図５】同実施例１の変形例３における紙片の裏面を示す平面図。
【図６】同実施例１の変形例３−１における紙片の裏面を示す平面図。
【図７】同実施例１の変形例３における単位接着領域を示す平面図。
【図８】本発明の実施例２の紙片の裏面を示す平面図。
【図９】本発明の実施例３の紙片の裏面を示す平面図。
【図１０】本発明の実施例４の紙片の裏面を示す平面図。
【図１１】本発明の実施例４の一変形例を示す図１０相当図。
【図１２】本発明の実施例４の他の変形例を示す図１０相当図。
【図１３】本発明の実施例５の紙片の裏面を示す平面図。
【図１４】本発明の実施例５の一変形例を示す図１３相当図。
【図１５】本発明の実施例１、３、４及び５に共通する一変形例を示す図１０相当図。
【図１６】本発明の実施例１、３、４及び５に共通する一変形例を示す図２相当図。
【符号の説明】
【００５４】
１…付箋
２…接着剤付紙片
３…裏面
４…接着部
５…非接着部
７…第一端部
８…第一非接着領域
８ａ…第二非接着領域
９…単位接着領域
１０…第二端部
２１…接着領域
２２…単位非接着領域
３０…周縁部
【図１】
2008143166.tif 000003
【図２】
2008143166.tif 000004
【図３】
2008143166.tif 000005
【図４】
2008143166.tif 000006
【図５】
2008143166.tif 000007
【図６】
2008143166.tif 000008
【図７】
2008143166.tif 000009
【図８】
2008143166.tif 000010
【図９】
2008143166.tif 000011
【図１０】
2008143166.tif 000012
【図１１】
2008143166.tif 000013
【図１２】
2008143166.tif 000014
【図１３】
2008143166.tif 000015
【図１４】
2008143166.tif 000016
【図１５】
2008143166.tif 000017
【図１６】
2008143166.tif 000018